(57)【要約】【課題】  精米機による精白度は、玄米の種類や、生産地等によって異なることが多く、特に８分搗以下の精白度の要望は地方によって異なり、又精白度選択ボタンの追加（増設）は、操作盤の広さや生産コスト等によって制限を受け易い。【解決手段】  精米装置の操作盤１に精白度毎のコイン投入口２を形成し、各コイン投入口２には、投入コインを検出するコインセンサ３を設け、このコインセンサ３の検出によってコイン投入口２位置毎に設定の精白度のもとに精米を開始する。精米を行うときは、玄米を精米装置の玄米ホッパーに所定量供給して、精白度目的位置のコイン投入口２を選択して精米量に応じたコイン量を投入する。このコイン投入口２におけるコインセンサ３が所定量のコインが投入されたことを検出すると、精米装置の精白度がこのコイン投入口２、及びコインセンサ３位置に対応した精白度位置に決められて、精米作用が開始される。【選択図】  図１
2009285552.tif 000002
【特許請求の範囲】
【請求項１】
精米装置の操作盤（１）に精白度毎のコイン投入口（２）を形成し、各コイン投入口（２）には、投入コインを検出するコインセンサ（３）を設け、このコインセンサ（３）の検出によってコイン投入口（２）位置毎に設定の精白度のもとに精米を開始することを特徴とする料金式精米設備。
【請求項２】
精米装置の精白度を選定する精白度選択スイッチ（４）として、複数区分域の分搗位置を切替選択可能とする分搗スイッチ（５）と、この分搗スイッチ（５）のＯＮによりこれら各分搗位置を切替選択可能の精白度設定ダイヤル（６）とを設けたことを特徴とする料金式精米設備。
【発明の詳細な説明】
【技術分野】
【０００１】
この発明は、料金を投入して玄米を精白処理する料金式の精米設備に関する。
【背景技術】
【０００２】
上白、標準、７分、５分搗の各精白度選択ボタンと、単一のコイン投入口を備えた料金式の精米設備（例えば、特許文献１参照）が知られている。
【特許文献１】特開２００１ー１４５４６号公報（第１頁、図１）。
【発明の開示】
【発明が解決しようとする課題】
【０００３】
精米機による精白度は、玄米の種類や、生産地等によって異なることが多く、精米装置として画一的に対応処理し難く、微妙な分搗誤差の調整を行うことが必要である。特に８分搗以下の精白度の要望は地方によって異なり、又精白度選択ボタンの追加（増設）は、操作盤の広さや、生産コスト等によって制限を受け易い。この発明は、極力小さい操作盤で、多くの精白度を選択できるようにしたものである。
【課題を解決するための手段】
【０００４】
請求項１に記載の発明は、精米装置の操作盤１に精白度毎のコイン投入口２を形成し、各コイン投入口２には、投入コインを検出するコインセンサ３を設け、このコインセンサ３の検出によってコイン投入口２位置毎に設定の精白度のもとに精米を開始することを特徴とする料金式精米設備の構成とする。精米を行うときは、玄米を精米装置の玄米ホッパーに所定量供給して、精白度目的位置のコイン投入口２を選択して精米量に応じたコイン量を投入する。このコイン投入口２におけるコインセンサ３が所定量のコインが投入されたことを検出すると、精米装置の精白度がこのコイン投入口２、及びコインセンサ３位置に対応した精白度位置に決められて、精米作用が開始される。
【０００５】
請求項２に記載の発明は、精米装置の精白度を選定する精白度選択スイッチ４として、複数区分域の分搗位置を切替選択可能とする分搗スイッチ５と、この分搗スイッチ５のＯＮによりこれら各分搗位置を切替選択可能の精白度設定ダイヤル６とを設けたことを特徴とする料金式精米設備の構成とする。精米を行うときは、精米量に応じたコインをコイン投入口に投入し、玄米を玄米ホッパーに所定量供給して、目的精白度位置の精白度選択スイッチ４をＯＮして精米を開始させる。このとき、分搗位置を選択して精米する場合は、この分搗スイッチ５位置の精白度ダイヤル６を目的の分搗位置へ回動操作して、この分搗スイッチ５をＯＮ操作することによって、この設定された分搗の精米作業を行うことができる。
【発明の効果】
【０００６】
請求項１に記載の発明は、操作盤１には、各分搗精白度毎にコイン投入口２、及びコインセンサ３を設けるため、コインセンサ３自体が精白度を選択して、精白度に人為的操作する等の手数を不要とし、構成を簡単化することができ、コイン投入口２が精白度毎に配置されて、分搗領域を詳細に、広く設定して、玄米の種類や質等の変化、乃至領域性等に対応した対応性を高くし、的確な精米を行うことがき、生産コストを低減することができる。
【０００７】
請求項２に記載の発明は、精白度を選択指定するには、精白度選択スイッチ４を選択してＯＮ操作するが、特殊な分搗精米を行うときは、精白度ダイヤル６の操作で、特定精白度を選択して精米を行わせることができ、特に使用頻度の少ない分搗領域を定めて選択することができ、操作盤１の面積を小さくして多数分搗位置を選択可能として、地域性、特殊性等に応ずることができ、生産コストを低減することができる。
【発明を実施するための最良の形態】
【０００８】
料金を投入して玄米を精白処理する料金式精米設備の構成について説明する。精米装置の操作盤１に玄米量に応じた所定量のコインを投入することによって、自動的に精米するもので、このときコインを供給するコイン投入口２を各分搗位置毎に配置して分搗位置に対応するコイン投入口２に所定量をコインを投入することによって、目的分搗の精白度のもとに精米を行うようにするものである。コイン精米装置は、小さな精米ハウスを操作室７と機械室８とに仕切って、この操作室７側に操作盤１設ける。又、機械室８には、石抜機９や、精米機１０、及び玄米供給ホッパー１１から供給される玄米を搬送して石抜機９へ供給するエレベータ１２や、石抜機９から取出された玄米を搬送して精米機１０の精米ホッパー１３へ供給するエレベータ１４、及びこの精米機で発生する糠を吸引ファン１５で吸引排除する除糠装置等を配置する。前記玄米を供給するための玄米供給ホッパー１１や、精米を受けた白米を取出す白米ホッパー１６等は、操作室７にのぞませていて、玄米袋１７からの供給や白米の袋１８詰取出を容易化する形態に配置している。
【０００９】
ここにおいて、この精米操作装置は、精米装置の操作盤１に精白度毎のコイン投入口２を形成し、各コイン投入口２には、投入コインを検出するコインセンサ３を設け、このコインセンサ３の検出によってコイン投入口２位置毎に設定の精白度のもとに精米を開始することを特徴とする精米操作装置の構成とする。精米を行うときは、玄米を精米装置の玄米ホッパーに所定量供給して、精白度目的位置のコイン投入口２を選択して精米量に応じたコイン量を投入する。このコイン投入口２におけるコインセンサ３が所定量のコインが投入されたことを検出すると、精米装置の精白度がこのコイン投入口２、及びコインセンサ３位置に対応した精白度位置に決められて、精米作用が開始される。
【００１０】
前記玄米供給ホッパー１１には繰出ロータリバルブ１９を設け、このロータリバルブ１９をコントローラ２０からの出力で回転することによって、供給ホッパー１１の玄米をエレベータ１２へ搬送して石抜機９へ供給する。この石抜機９は揺動選別盤等を有して、比重選別形態等で石礫を選別して石排出シャッタ２１の開きによって機外へ排出させる石排出口２２を設け、この石抜後の玄米を玄米口２３を設け、又、この石抜機９で選別残留米となった残米を排出するための残米口の残米排出シャッタ２４等を設けている。これら玄米口２３と、残米排出シャッタ２４の残米口等をエレベータ１４の下部にのぞませている。又、この精米機は、精米網筒内に回転する精米転子を有し、コントローラ２０からの出力によって駆動される精米モータによって駆動回転されて、この精米網筒の先端の精米口２５に設けられる抵抗蓋２６を押し開きながら精米抵抗を与えて精米させて、白米ホッパー１６へ排出させる。この精米の精白度は、コントローラ２０からの出力によって、該精米口２５の抵抗蓋２６の開作動にウエイト力等の抵抗力を加減することによって調整されるように白度調節装置２７を構成する。
【００１１】
前記操作盤１には、玄米供給量に対する精米料金の料金表２８や、操作手順ブロック図として「お米を入れる」２９、「お金を入れる」３０、「白米を取出す」３１等設けられ、このうち「お金を入れる」３０の欄にコイン投入口２を各精白度毎に形成する。一般的によく使用される頻度の大きい精白度として「上白」２Ａ、及び「標準」２Ｂ等を設ける。これらの他に地域性（ローカル性）を有する分搗精白度位置として、「９分搗」２Ｃ、「７分搗」２Ｄ、「５分搗」２Ｅ、「３分」２Ｆ、および「１分搗」２Ｇ等を配置する。各コイン投入口２の下側には、コイン流下案内するシュート３２を設けて、各投入口２から投入流下されるコインを下側のコインメック３３に案内する。各コイン投入口２には内側にリミットスイッチ３６からカウントセンサ３４等からなるコインセンサ３を設け、コインシュート３２の下端には投入コイン数を計算するカウントセンサ３４を設けて、コイン枚数を表示窓３５に電子表示させる構成としている。これら各コインセンサ３が所定料金のコイン投入口を検出することによって、白度調節装置２７をこれらコイン投入口の行われた位置の精白度位置へ設定して、ロータリバルブ１９、エレベータ１２、石抜機９、エレベータ１４、精米機１０及び吸引ファン１５等を駆動して、精米作用を行わせる。精米作用を受けた白米は精米口２５から白米ホッパー１６に受けられて、白米袋１８に取出すことができる。この精米機１０の精米筒網から漏下する糠類は、吸引ファン１５によって吸引搬送されて、機外へ排出される。前記コイン投入時に、「標準」位置のコイン投入口２Ｂへコインを投入すると、この投入をコインセンサ３Ｂが検出して、このコインセンサ３Ｂに対応した標準精白度に白度調節装置２７を調節制御する。又、分搗精米として、例えば「５分搗」２Ｅを指定投入したときは、この投入口２Ｅにコインを投入したことをコインセンサ３Ｅによって検出されて、白度調節装置２７が５分搗位置に調節制御される。このように精白度は、コイン投入口２の位置を選択することによって自動的に決められて精米される。
【００１２】
前記コントローラ２０の入力側には、リセットスイッチ４０を設け、このリセットスイッチ４０をＯＮにすると精米装置運転を初期状態に戻すことができる。精米作業のトラブル発生時には手動で機械内部の米を排出させて所定の位置に直して復旧させているが、不慣れな作業者が勘違いのため正規の動作しないで、機械内に米を残したり、定位置にセットしないため、次回の精米では更に別のトラブルを起すことが多い。このような事態をなくするために、上記リセットスイッチ４０を設けることにより、機械内部の米が残っていることを想定して、全ての機械を運転して、残留米を排出できるようにする。このリセットスイッチ４０によって一定時間にわたって運転させて停止させて初期状態にセットする。又、リセットスイッチ４０をＯＦＦにするか、又は停止スイッチを操作することによって、機械を停止させて初期状態にセットすることができる形態とする。
【００１３】
精米運転の停止後に、リセットスイッチ４０でロータリバルブ１９や、エレベータ１２、１４、石抜機９、精米機１０、及び除糠吸引ファン１５等を運転する。これによって、石抜機９の石排出シャッタ２１を開いて、石抜機９内の残米を排出させる。又、白度調節装置２７を最弱小精白位置に移動させて精米機内の残米を精米口２５から排出させる。又、吸引ファン１５の駆動によって除糠作用を行わせている。このような全機械の運転の一定時間経過後、機械を停止させて、通常の待機状態（初期状態）にリセットする。
【００１４】
前記コントローラ２０の入力側にカード識別手段４１、バーコード読取装置４２等を設け、出力側には印字装置４３等を設ける。コイン精米機を過去に度々利用することにより、利用料金を割引くことができるようにして、利用利点を付与するものである。このため、発行されたコイン、カード、又はバーコードを識別するカード識別手段４１等を設ける。この装置による数量入力から今回の利用料金を割引くことができるように設ける。同じ機械を継続して利用する利点を得ることができる。カード識別装置４１のデータ（過去の利用）から今回利用割引率を算出して、今回利用の料金を算出値引きするものである。
【００１５】
又、前記コントローラ２０の入力側に携帯電話受信機４４を設け、この携帯電話の押ボタンを手動スイッチとして、コイン精米機を運転操作可能に構成する。コイン精米機は、前記のように操作室７と機械室８が仕切壁によって仕切られているため、単独の精米機管理者が機械室８でメンテナンス作業するときは、操作室７の操作盤１操作を機械室８に居なが遠隔操作しなが作業運転することができるため便利である。例えば、携帯の４コマンドを使用すればリモコンと同じ作用が可能となる。
【００１６】
次に、主として、図４、図５に基づいて、前記操作盤１には、コイン投入口２とは別に、精白度を選択指定する精白選択スイッチ４（押ボタンスイッチ）を配置する。ここにおいて精米装置の精白度を選定する精白度選択スイッチ４として複数区分域の分搗位置を切替選択可能とする分搗スイッチ５とこの分搗スイッチ５のＯＮによりこれら各分搗位置を切替選択可能の精白度設定ダイヤル６とを設けたことを特徴とする精米操作装置の構成とする。精米を行うときは、精米量に応じたコインをコイン投入口に投入し、玄米を玄米ホッパーに所定量供給して、目的精白度位置の精白度選択スイッチ４をＯＮして精米を開始させる。このとき、分搗位置を選択して精米する場合は、この分搗スイッチ５位置の精白度ダイヤル６を目的の分搗位置へ回動操作して、この分搗スイッチ５をＯＮ操作することによって、この設定された分搗の精米作業を行うことができる。
【００１７】
前記選択スイッチ４としては、通常の一般的精白度としての「上白」４Ａと、「標準」４Ｂと、地域特性に応じた精白度の分搗位置として分搗スイッチ５等を設け、これらいずれかのスイッチ４を押すことによって精白度を指定して精米運転を行うことができる。このうち分搗スイッチ（押ボタンスイッチ）５のスイッチ回路には、前記精白度設定ダイヤル６の回動で切替操作される切替スイッチが設けられている。この分搗スイッチ位置は、例えば、「８分搗」５０、「７分搗」５１、「６分搗」５２、「５分搗」５３、「４分搗」５４、「３分搗」５５、及び「２分搗」５６の如く配置して、ダイヤル６の回動で切替えることにより、目的の分搗位置を選択することができ、この選択のもとに分搗スイッチ５を押してＯＮすることによって、前記精白度調節装置２７が調節されて、精米運転が開始される。精白度の選定要望は、地方によってさまざまであり、偏りが多い。この分搗の種類を増すことは、押ボタンを追加すると生産コストも高くなる。このような特殊仕様の要望に応ずるため、分搗位置の選択指定用の分搗スイッチ５、及び精白度設定ダイヤル６を設けることによって、構成、及び分搗選択を簡単、容易にすることができる。
【図面の簡単な説明】
【００１８】
【図１】操作盤の正面図、及びそのコイン投入口部の断面図。
【図２】精米操作制御のブロック図。
【図３】コイン精米装置の配置図。
【図４】一部別実施例を示す操作盤の正面図、及び精白度調節ダイヤル部の拡大正面図。
【図５】その精米操作制御のブロック図。
【符号の説明】
【００１９】
１    操作盤
２    コイン投入口
３    コインセンサ
４    選択スイッチ
５    分搗スイッチ
６    精白度設定ダイヤル
【図１】
2009285552.tif 000003
【図２】
2009285552.tif 000004
【図３】
2009285552.tif 000005
【図４】
2009285552.tif 000006
【図５】
2009285552.tif 000007